(57)【要約】  【課題】  情報カードの脱着操作時における不意な情報カードの飛び出しを確実に防止することのできる携帯電子機器を提供する。  【解決手段】  厚み方向で重ね合わせ可能な筐体１，２を端部同士でヒンジ３によって結合し、一方の筐体１に、カード型の記録媒体である情報カード１３の接続用コネクタ１５を設ける。一方の筐体１のヒンジ３側の端面に接続用コネクタ１５のスロット部１６を配置し、筐体１の端面にスロット部１６に連続する開口１９を形成する。筐体１のヒンジ３側の端面のうちの筐体２側の開口縁部分に、情報カード１３を脱着操作するユーザーの指の腹部分の挿入を許容する案内凹部２０を形成する。筐体１のヒンジ３側の端面のうちの筐体２と逆側の開口縁部分に、指の腹部分の挿入を阻止する壁２１を形成する。  【選択図】        図３
2007088710.tif 000002
【特許請求の範囲】
【請求項１】
厚み方向で重ね合わせ可能な一対の筐体が端部同士でヒンジによって結合され、
前記一対の筐体のうちの一方の筐体に、情報カードの接続用コネクタが設けられると共に、この一方の筐体の前記ヒンジ側の端面に前記接続用コネクタのスロット部が開口する携帯電子機器であって、
前記一方の筐体の前記ヒンジ側の端面のうちの、前記スロット部が配設されていない筐体側の開口縁部分に、前記情報カードを脱着操作するユーザーの指の腹部分の挿入を許容する案内凹部を形成すると共に、
前記一方の筐体の前記ヒンジ側の端面のうちの、前記案内凹部に対向する開口縁部分に、前記ユーザーの指の腹部分の挿入を阻止する壁を形成したことを特徴とする携帯電子機器。
【請求項２】
前記案内凹部を、前記スロット部の内側に向かって斜めに傾斜させて形成したことを特徴とする請求項１に記載の携帯電子機器。
【発明の詳細な説明】
【技術分野】
【０００１】
この発明は、携帯電話機やＰＤＡ（Personal Digital Assistants）等の携帯電子機器に関する。
【背景技術】
【０００２】
近年、携帯電話機やＰＤＡ等の携帯電子機器においては、取り扱う情報量の増大に伴って脱着可能な記録媒体を利用するものが多くなっている。携帯電子機器では、機器の薄型化が可能であることから、カード型の記録媒体である情報カードが多用されている（特許文献１，２参照）。
【０００３】
情報カードを採用する携帯電子機器では、通常、筐体内に情報カードの接続用コネクタが内蔵され、そのコネクタのスロット部が筐体の端面に開口している。そして、スロット部の開口する筐体の端面には、スロット部の開口を厚み方向に跨ぐように凹部が設けられ、ユーザーが、この凹部を通して情報カードを指先で押し込み操作し得るようになっている。接続用コネクタには、情報カードを接続状態でロックするロック機構とばねによる情報カードの復帰機構が内蔵されており、ロック機構は、復帰機構のばねの力に抗して情報カードを設定深さまで押し込むことによって同カードを接続状態でロックし、復帰機構は、この状態から情報カードを再度押し込むことによって同カードを取り出し位置まで飛び出させる。
【特許文献１】特開２００３−２２４６４８号公報
【特許文献２】特開２００４−１２６８７７号公報
【発明の開示】
【発明が解決しようとする課題】
【０００４】
この従来の携帯電子機器は、筐体の端面に、接続用コネクタのスロット部の開口を厚み方向に跨ぐように凹部が大きく形成されているため、筐体の厚み方向のいずれの側からも指先で情報カードを押し込み操作することができるが、情報カードの押し込み操作時における指の多様な動きが凹部によって許容されていることから、指の腹を情報カードの端部に略直角に押し当て、その状態から指の当接位置を腹部分から指先側にずらすようにして情報カードを押し込む操作も可能となっている。
【０００５】
しかし、このような操作が行われる場合には、情報カードが接続用コネクタに完全にロックされる前に指先が情報カードの端部から急激に外れることがあり、こうして指先が情報カードから急激に外れると、情報カードがスロット部から筐体外部に飛び出すことが懸念される。
【０００６】
そこで、この発明は、情報カードの脱着操作時における不意な情報カードの飛び出しを確実に防止することのできる携帯電子機器を提供しようとするものである。
【課題を解決するための手段】
【０００７】
上記の課題を解決するために、この出願の請求項１に記載の発明は、厚み方向で重ね合わせ可能な一対の筐体が端部同士でヒンジによって結合され、前記一対の筐体のうちの一方の筐体に、情報カードの接続用コネクタが設けられると共に、この一方の筐体の前記ヒンジ側の端面に前記接続用コネクタのスロット部が開口する携帯電子機器において、前記一方の筐体の前記ヒンジ側の端面のうちの、前記スロット部が配設されていない筐体側の開口縁部分に、前記情報カードを脱着操作するユーザーの指の腹部分の挿入を許容する案内凹部を形成すると共に、前記一方の筐体の前記ヒンジ側の端面のうちの、前記案内凹部に対向する開口縁部分に、前記ユーザーの指の腹部分の挿入を阻止する壁を形成するようにした。
【０００８】
請求項２に記載の発明は、請求項１に記載の携帯電子機器において、前記案内凹部を、前記スロット部の内側に向かって斜めに傾斜させて形成した。
【発明の効果】
【０００９】
この発明によれば、一方の筐体の端面のうちの、他方の筐体側の開口縁にのみ案内凹部が形成され、逆側の開口縁には指の腹部分の挿入を阻止する壁が形成されているため、案内凹部に指の腹部分を挿入して指先で情報カードの端部を押し込む押し込み操作のみが許容され、指の腹部分を情報カードに略直角に押し当て当接位置を指先側にずらしての情報カードの押し込みができなくなり、その結果、この指操作に起因した情報カードの不意な飛び出しを確実に防止することが可能になる。したがって、情報カードの紛失等の不具合を未然に防止することができる。
また、この発明においては、指の腹部分の挿入を許容する案内凹部が一方の筐体の端面のうちの、スロット部が配設されていない筐体側の開口縁にのみ形成されているため、機器操作のためにユーザーが一対の筐体をヒンジを中心に開いているときに、スロット部が配設されていない側の筐体が案内凹部の近傍を覆い、正規姿勢で情報カードを押し込もうとするユーザーの指をその筐体によって確実に遮ることができる。したがって、筐体を開いて機器を操作している最中に誤操作によって情報カードが外れる不具合を確実に防止することができる。
【発明を実施するための最良の形態】
【００１０】
以下、この発明の一実施形態を図１〜図４に基づいて説明する。
図１，図２は、この発明にかかる携帯電子機器の一例である携帯電話機を示す斜視図である。この携帯電話機は、図１に示すように第１の筐体１と、この第１の筐体１の厚み方向に重ね合わせ可能な第２の筐体２と、これら２つの筐体１，２の端部相互を折り畳み自在に連結するヒンジ３を備えている。
【００１１】
第１の筐体１の上面（第２の筐体２との重ね合わせ面）には、通話キー、終話キー、数字キー等の押圧操作可能な複数の操作キー４を備えたキー操作部５が設けられると共に、ヒンジ３と逆側の端部の近傍に送話用のマイクロフォン部６が設けられている。また、ヒンジ３は、第１の筐体１の端部上面（第２の筐体２側の面）に突設された膨出部７が、第２の筐体２の端部に形成された一対の軸受部８の間に介装され、軸受部８と膨出部７に跨る図示しないヒンジピンによって両筐体１，２を回動自在に連結するようになっている。
【００１２】
また、第２の筐体２の第１の筐体１との重ね合わせ面には、液晶ディスプレイ等の表示部９が設けられると共に、ヒンジ３と逆側の端部の近傍に受話用のスピーカ部１０が設けられている。さらに、第２の筐体２の重ね合わせ面と逆側の面（以下、この面を「上面」と呼ぶ。）には、図２に示すように補助用の表示部１１が設けられている。
【００１３】
また、第１の筐体１のヒンジ３側の端面の幅方向の一側には送受信用のアンテナ１２が進退自在に設けられ、第１の筐体１の同端面の幅方向略中央位置には、記録媒体である情報カード１３を脱着するための略長方形状の窓１４が形成されている。この窓１４内には、図３，図４に示すように情報カード１３を受容する接続用コネクタ１５が内蔵されている。接続用コネクタ１５は、情報カード１３が挿入嵌合されるスロット部１６を有し、このスロット部１６の開口が第１の筐体１の窓１４内に配置されている。スロット部１６は、第１の筐体１の幅方向に広がって開口し、情報カード１３を第１の筐体１の上下面と平行な姿勢で挿入装着し得るようになっている。また、接続用コネクタ１５には、情報カード１３を一度設定深さまで押し込んだときにそのカード１３を接続状態でロックし、そのロック状態から情報カード１３を再度設定深さまで押し込んだときにそのカード１３のロックを解除する図示しないロック機構と、情報カード１３をスロット部１６の開口側にばね付勢する同様に図示しない復帰機構とを備えている。
【００１４】
第１の筐体１の端面の窓１４内には、軟質樹脂から成る蓋部材１７（図２参照）を脱着可能に嵌合するための段差部１８と、接続用コネクタ１５のスロット部１６に連続し同スロット部１６よりも一回り大きい略長方形状の開口１９が形成されている。そして、この開口１９の第２の筐体２側の縁部には案内凹部２０が形成されている。この案内凹部２０は、情報カード１３を脱着操作するユーザーの指Ｆの腹部分Ｆａを受容する部分であり、一般的なユーザーの親指の幅程度の幅に開口１９の幅方向中央部に形成されている。この実施形態の場合、案内凹部２０は、指Ｆの腹部分Ｆａを滑らかに受容し得るようにスロット部１６の内側に向かって傾斜し、かつ滑らかに湾曲して形成されている。さらに、案内凹部２０は、スロット部１６から最も離反した部分の壁の上端が情報カード１３の挿入方向にほぼ沿うように切り立って形成され、この形状により、案内凹部２０にあてがった指Ｆの腹部分Ｆａのずれを阻止し得るようになっている。
【００１５】
また、開口１９の第２の筐体２と逆側の縁部には、接続用コネクタ１５の外側面に沿うように段差部１８に向かって屹立する壁２１が形成されている。この壁２１は、接続用コネクタ１５に装着された情報カード１３との隙間が充分に狭くなるように設けられ、この壁２１側に指Ｆの腹部分Ｆａを向けて情報カード１３を押し込もうとしたときに、指Ｆの腹部分Ｆａの進入を阻止するようになっている。
【００１６】
また、情報カード１３は、その上面が第１の筐体１の端面に対して２〜３mm程度下がった位置で接続用コネクタ１５にロックされるようになっている。さらに、第１の筐体１の案内凹部２０は、ロックされた情報カード１３の上端面よりも若干低くなる深さまで窪んで形成され、指先Ｆｂによって情報カード１３を規定の位置まで確実に押圧し得るようになっている。
【００１７】
以上の構成の携帯電話機に情報カード１３を装着する場合には、図２に示すように筐体１，２を閉じた状態で蓋部材１７を開き、情報カード１３を、第１の筐体１の開口１９を通して接続用コネクタ１５のスロット部１６に挿し入れる。ここで、ユーザーは、情報カード１３の下半をスロッット部１６に軽く差し入れ、その状態で指Ｆの腹部分Ｆａを案内凹部２０側に向けるようにして指先Ｆｂで情報カード１３の端部を第１の筐体１の内部に押し込む。このとき、情報カード１３がある程度の深さまで押し込まれると、指Ｆの腹部分Ｆａが案内凹部２０にガイドされて指先による押し込みが進められ、こうして情報カード１３が設定深さまで押し込まれると、情報カード１３が接続用コネクタ１５に接続された状態において図示しないロック機構にロックされる。
【００１８】
また、携帯電話機に装着された情報カード１３を取り外す場合には、前述と同様に筐体１，２を閉じた状態で蓋部材１７を開き、情報カード１３の端部を再度設定深さまで押し込むことによってロック機構のロックを解除し、それによって情報カード１３を取り出し位置まで飛び出させる。このときも、指Ｆの腹部分Ｆａが案内凹部２０側に向くようにして指先Ｆｂで情報カード１３を押し込むことにより、指Ｆの腹部分Ｆａが案内凹部２０にガイドされ、指先で情報カード１３を設定深さまで押し込むことが可能になる。
【００１９】
なお、筐体１，２を閉じた状態で、図３中の仮想線で示すように指Ｆの腹部分Ｆａを第２の筐体２と逆側に向けて情報カード１３を押し込もうとすると、指Ｆの腹部分Ｆａが開口１９の縁部の壁２１と干渉し、指先Ｆｂによる情報カード１３の押し込みが阻止される。
【００２０】
また、携帯電話機の筐体１，２が図１，図４に示すように開いた状態においては、第２の筐体２の上面が第１の筐体１の案内凹部２０の上方側に近接し、それによって案内凹部２０への指Ｆの腹部分Ｆａの挿入が阻止される（図４中の仮想線参照）。この結果、筐体１，２を開いた状態においては、いずれの向きからも情報カード１３の押し込みが禁止される。
【００２１】
以上のようにこの携帯電話機は、第１の筐体１のヒンジ３側の端面のうちの、情報カード脱着用の開口１９の第２の筐体２側の縁部にのみ案内凹部２０が形成されているため、第２の筐体２側に指Ｆの腹部分Ｆａを向けて、指先Ｆｂをスロット部１６に真っ直ぐに押し込む操作以外では情報カード１３の脱着を行うことができない。つまり、指Ｆの腹部分Ｆａと爪を案内凹部２０と壁２１に沿わせるようにしなければ、情報カード１３を設定深さまで押し込むことができないため、指Ｆの腹部分Ｆａを情報カード１３の端面にほぼ直角に当て、当接部を指先Ｆｂ側に大きくずらして情報カード１３を押し込むような操作はできなくなる。したがって、この携帯電話機の場合、指Ｆの押し込みが急激に外れることによる情報カード１３の不意な飛び出しを確実に防止することができる。
【００２２】
特に、この実施形態の場合、指Ｆの腹部分Ｆａの挿入を許容する案内凹部２０がスロット部１６の内側に向かって斜めに傾斜して形成されているため、案内凹部２０に沿わせて指先Ｆｂを押し込むことにより、指先Ｆｂの爪近くの硬い部分で情報カード１３を確実に押し込むことができる。また、この携帯電話機にあっては、案内凹部２０の壁が肉厚のヒンジ３（膨出部７）の背面側に一体に形成されているため、ユーザーが指Ｆの腹部分Ｆａを第２の筐体２側に無理にすべらそうとした場合にも、ユーザの指Ｆの動きを剛性の高い案内凹部２０の壁によって確実に規制することができる。
【００２３】
また、この携帯電話機の場合、開口１９の第２の筐体２側の縁部にのみ案内凹部２０を形成することにより、筐体１，２を開いた状態で情報カード１３の押し込み操作ができないようになっているため、筐体１，２を開いて機器を操作しているとき（例えば、情報カード１３の読み書きを行っているとき。）に情報カード１３が誤操作によって外れる不具合を確実に防止することができる。
【００２４】
さらに、この実施形態の場合、情報カード１３の上面が第１の筐体１の端面から２〜３mm程度下がった状態で、同カード１３が接続用コネクタ１５にロックされるようになっているため、誤操作によって情報カード１３が押し込まれてしまう不具合を無くすと同時に、情報カード１３の取り出し操作性を良好にすることができる。
【００２５】
なお、この発明は上記の実施形態に限定されるものではなく、その要旨を逸脱しない範囲で種々の設計変更が可能である。例えば、上記の実施形態は、携帯電子機器の一例として携帯電話機について説明したが、この発明にかかる携帯電子機器はＰＤＡ等であっても良い。
【図面の簡単な説明】
【００２６】
【図１】この発明の一実施形態を示すものであり、折りたたみ式の携帯電話機の開いた状態の斜視図。
【図２】同実施形態の携帯電話機の折り畳んだ状態の斜視図。
【図３】同実施形態の図２のＡ−Ａ断面に対応する拡大断面図。
【図４】同実施形態の携帯電話機の開いた状態での図３と同様の拡大断面図。
【符号の説明】
【００２７】
１…第１の筐体（筐体）
２…第２の筐体（筐体）
３…ヒンジ
１３…情報カード
１５…接続用コネクタ
１６…スロット部
１９…開口
２０…案内凹部
２１…壁
【図１】
2007088710.tif 000003
【図２】
2007088710.tif 000004
【図３】
2007088710.tif 000005
【図４】
2007088710.tif 000006